(57)【要約】【課題】即暖性が要求される運転開始時には着火スピードが速い放電式の点火器で点火し、点火時の静かさや放射ノイズの無いことが要求される時にはヒータ式の点火器で点火するといったように、必要に応じて二種類の点火器を使い分けるよう制御するガスファンヒータを提供する。【解決手段】本体ケーシング２内にガスバーナ４と対流ファン５とを備え、使用者が運転スイッチ８１を入とすることでガスバーナ４で燃焼を行って運転を開始し、その後は目標温度を維持するようにガスバーナ４での燃焼のＯＮ−ＯＦＦ制御を行うガスファンヒータ１であって、ガスバーナ４の点火手段として放電式の点火器６１とヒータ式の点火器６２の二種類を備え、運転を開始した後初めての点火動作では放電式の点火器６１で点火を行い、その後のＯＮ−ＯＦＦ制御時の点火動作ではヒータ式の点火器６２で点火を行うように制御する。【選択図】        図５
2010121924.tif 000002
【特許請求の範囲】
【請求項１】
本体ケーシング内にガスバーナと対流ファンとを備え、使用者が運転スイッチを入とすることでガスバーナで燃焼を行って運転を開始し、その後は目標温度を維持するようにガスバーナでの燃焼のＯＮ−ＯＦＦ制御を行うガスファンヒータであって、ガスバーナの点火手段として放電式の点火器とヒータ式の点火器の二種類を備え、運転を開始した後初めての点火動作では放電式の点火器で点火を行い、その後のＯＮ−ＯＦＦ制御時の点火動作ではヒータ式の点火器で点火を行うように制御することを特徴とするガスファンヒータ。
【請求項２】
入りタイマー機能を備えたガスファンヒータにおいて、入りタイマー機能により運転を開始した時には、初めての点火動作でもヒータ式の点火器で点火を行うように制御することを特徴とする請求項１記載のガスファンヒータ。
【請求項３】
放電式の点火器およびヒータ式の点火器はそれぞれ異常を検知する異常検知手段を備え、一方の点火器のみで異常が検知された場合、該異常が検知された点火器を作動させず異常が検知されていない他方の点火器を作動させて運転するように制御することを特徴とする請求項１又は２記載のガスファンヒータ。
【請求項４】
入りタイマー機能と切りタイマー機能の一方又は両方を備えたガスファンヒータにおいて、異常が検知された点火器がヒータ式の点火器である場合、入りタイマー機能又は切りタイマー機能の作動中にＯＮ−ＯＦＦ制御を行わずに運転することを特徴とする請求項３記載のガスファンヒータ。
【発明の詳細な説明】
【技術分野】
【０００１】
本発明は、バーナ及び点火器を備えたガスファンヒータに関し、詳しくは、即暖性が要求される場合には着火スピードが速い放電式の点火器で点火し、即暖性よりも点火時の静かさや放射ノイズの無いことが要求される場合にはヒータ式の点火器で点火するといったように、必要に応じて二種類の点火器を使い分けるよう制御するガスファンヒータに関するものである。
【背景技術】
【０００２】
従来よりガスファンヒータは、運転スイッチを入れて運転を開始すると、対流ファンが回転すると共に、放電式の点火器が作動して電磁弁が開き、バーナに着火して温風が吹き出すのであるが、運転スイッチを入れてから温風が吹き出すまで僅か５秒程度しかかからず、石油ファンヒータやエアコン（ヒートポンプ式空調装置）、温水式暖房機器と比べても、運転スイッチを押してから短時間で温風が吹き出すという即暖性が非常に優れており、この即暖性が商品としての大きな長所となっている（例えば特許文献１参照）。
【０００３】
ガスファンヒータは、運転を開始して設定された目標温度又はその付近の温度に到達した後は、バーナの燃焼のＯＮ−ＯＦＦ制御を行うことにより、目標温度付近の温度を維持している。
【０００４】
このガスファンヒータをリビングやダイニング等に設置して運転する場合、テレビを見ていたりラジオを聴いている最中にＯＮ−ＯＦＦ制御によりバーナの燃焼がＯＮにされると、放電式の点火器でのパチパチという連続した放電音が発生し、テレビやラジオの音声が聞き取り難くなる、という問題があった。
【０００５】
また更に、放電式の点火器で放電が行われると、放射ノイズが発生して、テレビの画像が乱れたりテレビやラジオの音声に雑音が入ってしまう、という問題があった。
【０００６】
特許文献２に放電周波数上昇回路を備えた点火装置が開示されており、この点火装置をガスファンヒータの点火器に用いて、可聴領域よりも高い周波数帯域で放電を行わせることで、テレビやラジオの音声の聞き取り難さを抑えることが可能となるが、依然、放射ノイズの発生を抑えることはできないものであった。
【先行技術文献】
【特許文献】
【０００７】
【特許文献１】特開平０９−１７８２６８号公報
【特許文献２】特開平１０−２２０７５７号公報
【発明の概要】
【発明が解決しようとする課題】
【０００８】
本発明は上記従来の問題点に鑑みて発明したものであって、その目的とするところは、即暖性が要求される運転開始時には着火スピードが速い放電式の点火器で点火し、点火時の静かさや放射ノイズの無いことが要求される時にはヒータ式の点火器で点火するといったように、必要に応じて二種類の点火器を使い分けるよう制御するガスファンヒータを提供することを課題とするものである。
【課題を解決するための手段】
【０００９】
上記課題を解決するために請求項１に係る発明にあっては、本体ケーシング２内にガスバーナ４と対流ファン５とを備え、使用者が運転スイッチ８１を入とすることでガスバーナ４で燃焼を行って運転を開始し、その後は目標温度を維持するようにガスバーナ４での燃焼のＯＮ−ＯＦＦ制御を行うガスファンヒータ１であって、ガスバーナ４の点火手段として放電式の点火器６１とヒータ式の点火器６２の二種類を備え、運転を開始した後初めての点火動作では放電式の点火器６１で点火を行い、その後のＯＮ−ＯＦＦ制御時の点火動作ではヒータ式の点火器６２で点火を行うように制御することを特徴とするものである。
【００１０】
運転を開始した後、初めての点火動作では、着火スピードが速い放電式の点火器６１で点火することで即暖性を満たし、初めての点火でない場合には、ヒータ式の点火器６２で点火することで、静かで放射ノイズが発生しない。
【００１１】
また、請求項２に係る発明は、請求項１に係る発明において、入りタイマー機能を備えたガスファンヒータ１において、入りタイマー機能により運転を開始した時には、初めての点火動作でもヒータ式の点火器６２で点火を行うように制御することを特徴とするものである。
【００１２】
入りタイマー機能により運転を開始する時は、特に即暖性が要求されず、且つ、使用者が就寝している等、静かさが要求されるため、ヒータ式の点火器６２での点火が適している。
【００１３】
また、請求項３に係る発明は、請求項１又は２に係る発明において、放電式の点火器６１およびヒータ式の点火器６２はそれぞれ異常を検知する異常検知手段を備え、一方の点火器（６１又は６２）のみで異常が検知された場合、該異常が検知された点火器（６１又は６２）を作動させず異常が検知されていない他方の点火器（６２又は６１）を作動させて運転するように制御することを特徴とするものである。
【００１４】
通常は二種類の点火器６１、６２の両方を使い分けながら運転するのであるが、一方の点火器（６１又は６２）が異常である場合には、異常でない点火器（６２又は６１）で運転を継続することができる。
【００１５】
また、請求項４に係る発明は、請求項３に係る発明において、入りタイマー機能と切りタイマー機能の一方又は両方を備えたガスファンヒータにおいて、異常が検知された点火器がヒータ式の点火器６２である場合、入りタイマー機能又は切りタイマー機能の作動中にＯＮ−ＯＦＦ制御を行わずに運転することを特徴とするものである。
【００１６】
入りタイマー機能又は切りタイマー機能により運転する場合は、静かさが要求されることが多く、放電式の点火器６１を作動させるのは好ましくないため、ＯＮ−ＯＦＦ制御を行わずに運転することで、放電式の点火器６１の点火時の放電音が発生せず静かさを保つことができ、就寝の妨げにならないものである。
【発明の効果】
【００１７】
本発明にあっては、運転開始時の即暖性を維持しつつ、テレビを見ていたりラジオを聴いていることの多いガスバーナの燃焼のＯＮ−ＯＦＦ制御時の点火動作では、ヒータ式の点火器で点火を行うことで、放電式の点火器での放電音によりテレビやラジオの音声が聞き取り難いといったことや、放射ノイズによりテレビの画像が乱れたりテレビやラジオの音声に雑音が入ってしまうことがない。
【図面の簡単な説明】
【００１８】
【図１】本発明の一実施形態のガスファンヒータの要部の構成図である。
【図２】同上のガスファンヒータの側断面図である。
【図３】同上のガスファンヒータの操作パネルの正面図である。
【図４】同上のガスファンヒータのブロック図である。
【図５】同上における通常運転のフロー図である。
【図６】同上におけるおはようタイマー運転のフロー図である。
【図７】他の実施形態のガスファンヒータの操作パネルの正面図である。
【図８】同上のガスファンヒータのブロック図である。
【図９】同上における通常運転の全体フロー図である。
【図１０】図９の異常検知ルーチンのフロー図である。
【図１１】更に他の実施形態におけるおはようタイマー運転のフロー図である。
【図１２】同上におけるおやすみタイマー運転のフロー図である。
【発明を実施するための形態】
【００１９】
以下、本発明の一実施形態について添付図面に基づいて説明する。
【００２０】
図１、図２に示すように、ガスファンヒータ１の外殻をなす本体ケーシング２の背面の上部には、本体ケーシング２外から空気を吸い込む吸い込み口２１が設けてあり、本体ケーシング２の前面の下部には、温風の吹き出し口２２が設けてある。本体ケーシング２の内部には、吸い込み口２１から吹き出し口２２に至る空気流路２０と、空気流路２０の途中に配置される燃焼室３と、空気流路２０の途中の前記燃焼室３の下流側に配置される対流ファン５と、対流ファン５を駆動する対流モータ５１と、が設けてある。吸い込み口２１にはフィルタ２３が設けてあると共に、吸い込み口２１近傍の空気流路２０にはサーミスタ等の温度検知手段が設けてあり、該温度検知手段により室内の空気の温度が検知される。
【００２１】
燃焼室３は、室壁に燃焼空気の入口３１と燃焼排気の出口３２とがそれぞれ形成してあり、内部に入口３１から出口３２に至る燃焼空気流路３０が形成される。そして、燃焼空気流路３０の途中に加熱手段としてのガスバーナ４が設けてある。ガスバーナ４には、内部が燃料ガス流路４０となるガス管４１が接続してある。ガス管４１には、途中にガスフィルタ４３、二つの電磁弁４４、比例弁４５が上流側より順に設けてあり、上流端のガス取込口４２から流入する燃料ガスが電磁弁４４の開閉により下流端のノズル４６から噴出したり噴出停止したりし、噴出する際には比例弁４５の開度を変えることで流量が調整される。またガスバーナ４には、放電式とヒータ式の二種類の点火器６と、燃焼（着火）の有無を検出する燃焼検知センサ４７（本実施形態では熱電対）が設けてある。
【００２２】
放電式の点火器６１は、図示しないが、点火トランスで交流電源を昇圧した高電圧を高圧リード線で点火プラグに接続し、燃料ガスの流れの中に配置された点火プラグでスパーク放電させて着火させるものである。この際、パチパチという連続した放電音が発生すると共に、放射ノイズが発生する。
【００２３】
ヒータ式の点火器６２は、赤熱部に内蔵された発熱体に交流電流を流すことで発生するジュール熱で、燃料ガスの流れの中に配置される赤熱部を約１０００℃に加熱して赤熱させて着火させるもので、放電音や放射ノイズは発生しない。
【００２４】
本体ケーシング２の上面には操作パネル８が設けてあり、本体ケーシング２内には回路基板を備えた制御装置７が設けてある。
【００２５】
操作パネル８は、図３に示すように、運転の開始及び停止を行う運転スイッチ８１と、運転中であることを表示する運転ランプ８２と、アップスイッチ８３ａ及びダウンスイッチ８３ｂからなる温度／時間設定スイッチ８３と、温度／時間を表示する所謂７セグメントからなる温度／時間表示部８４と、設定時間後に運転を開始する入りタイマーのスイッチであるおはようタイマースイッチ８５と、おはようタイマー作動中であることを表示するおはようタイマーランプ８６と、設定時間後に運転を終了する切りタイマーのスイッチであるおやすみタイマースイッチ８７と、おやすみタイマー作動中であることを表示するおやすみタイマーランプ８８と、を備えている。
【００２６】
制御装置７は、図４に示すように、運転スイッチ８１と、温度／時間設定スイッチ８３と、おはようタイマースイッチ８５と、おやすみタイマースイッチ８７とからの入力を受けて、対流モータ５１と、点火器６と、電磁弁４４と、比例弁４５の運転制御を行い、運転ランプ８２と、温度／時間表示部８４と、おはようタイマーランプ８６と、おやすみタイマーランプ８８とに表示を行わせる。
【００２７】
ガスファンヒータ１の運転を行う場合、図示しない電源プラグを電源コンセントに差し込むと共に主電源スイッチを入にして、本体ケーシング２内の制御装置７や対流モータ５１、電磁弁４４及び比例弁４５等の電気機器への通電を行う。
【００２８】
通常運転を行う場合、図５のフロー図に示すように、運転スイッチ８１を押して入にすると、操作パネル８の基板が制御装置７へ運転開始の信号を送り、運転ランプ８２を緑色で点灯させて、点火動作を開始する。
【００２９】
点火動作は、対流モータ５１を強回転させ、点火器６を作動させ、電磁弁４４を開とし且つ比例弁４５を全開として、ガスバーナ４の点火が試みられるが、この時、運転スイッチ８１を押してから初めての点火か否かを判定する。初めての点火である場合には、放電式の点火器６１を作動させ、初めての点火でない場合には、ヒータ式の点火器６２を作動させる。すなわち、初めての点火である場合には、使用者が運転スイッチ８１を押して入とした直後で、即暖性が要求されるため、着火スピードが速いスパーク放電式の点火器６１で点火する。また、初めての点火でない場合には、後述するバーナの燃焼のＯＮ−ＯＦＦ制御による目標温度付近の温度での運転で、特に即暖性が要求されないため、点火時に静かで放射ノイズが発生しないヒータ式の点火器６２で点火するものである。
【００３０】
放電式の点火器６１で点火する場合は、運転スイッチ８１を入にしてから点火するまで約５秒かかり、ヒータ式の点火器６２で点火する場合は、約１０秒かかる。
【００３１】
燃焼検知センサ４７により着火が検知されると、点火動作を終了して、運転ランプ８２を赤色で点灯させ、目標温度と、温度検知手段で検知した室内の温度とに基づいて比例制御を行う。比例制御は、比例弁４５の開度及び対流モータ５１の回転速度を目標温度と室内の温度との差に比例して制御する。図５に示すフロー図では、目標温度の設定については示されていないが、運転開始後に温度／時間設定スイッチ８３の操作により設定したり、運転開始前に予め設定しておく。
【００３２】
所定時間経過しても燃焼検知センサ４７により着火が検知されない場合には、電磁弁４４を閉にすると共に点火器６を停止して点火動作を停止し、対流モータ５１も停止して運転を停止し、温度／時間表示部８４にてエラー表示を行う。
【００３３】
比例制御は、室内温度が目標温度＋所定の温度Ｔ１を超えない限り維持され、比例制御中に、室内温度が目標温度＋所定の温度Ｔ１を超えた場合、電磁弁４４を閉にしてガスバーナ４での燃焼を停止し、対流モータ５１を最小回転で駆動すると共に運転ランプ８２を緑色で点灯して、燃焼停止運転を行う。燃焼停止運転は、室内温度が目標温度−所定の温度Ｔ２よりも下がらない限り維持され、室内温度が目標温度−所定の温度Ｔ２よりも下がった場合、上述した点火動作を行う。この場合、運転スイッチ８１を押してから初めての点火ではないため、放電式ではなくヒータ式の点火器６２を作動させる。点火動作が終了すると、上述した比例制御を行い、以降、運転スイッチ８１を再度押して切とするまで上記工程を繰り返すものである。
【００３４】
上記のような通常運転においては、運転開始後、初めての点火動作では、使用者が運転スイッチ８１を押して入とした直後で即暖性が要求されるため、着火スピードが速いスパーク放電式の点火器６１で点火する。また、初めての点火でない場合には、バーナの燃焼のＯＮ−ＯＦＦ制御による点火動作であって、室温は既に目標温度付近の温度となっているため、特に即暖性が要求されないため、点火時に静かで放射ノイズが発生しないヒータ式の点火器６２で点火するものである。
【００３５】
次に、入りタイマー機能である、おはようタイマー機能での運転について図６のフロー図に基づいて説明する。
【００３６】
おはようタイマースイッチ８５を押しておはようタイマーを入にすると、操作パネル８の基板が制御装置７へおはようタイマー運転開始の信号を送り、おはようタイマーランプ８６を点灯させる。
【００３７】
次に、温度／時間設定スイッチ８３の操作により、運転を開始するまでの時間を設定する。そして、前記設定した時間が経過すると、運転ランプ８２を緑色で点灯させ、点火動作を開始する。
【００３８】
この点火動作では、対流モータ５１を強回転させ、点火器６を作動させ、電磁弁４４を開とし且つ比例弁４５を全開として、ガスバーナ４の点火を試みる点は通常運転の場合と同じであるが、運転スイッチ８１を押してから初めての点火か否かの判定は行わず、ヒータ式の点火器６２を作動させる。すなわち、おはようタイマー機能により運転を開始する時には、特に即暖性が要求されず、且つ、使用者が就寝している等、静かさが要求される場合が多いため、ヒータ式の点火器６２での点火が適している。
【００３９】
燃焼検知センサ４７により着火が検知されると、所定の設定時間（例えば１時間）経過したか否かが判定され、経過していない場合には、点火動作を終了して、運転ランプ８２を赤色で点灯させ、目標温度と、温度検知手段で検知した室内の温度とに基づいて比例制御を行う。所定の設定時間や目標温度の設定は図６のフロー図に示されていないが、予め設定しておく。
【００４０】
着火検知後、所定の設定時間経過している場合には、電磁弁４４を閉にすると共に点火器６を停止して点火動作を停止し、対流モータ５１も停止して運転を停止し、おはようタイマーランプ８６を消灯する。
【００４１】
また、点火動作を開始して所定時間経過しても燃焼検知センサ４７により着火が検知されない場合には、電磁弁４４を閉にすると共に点火器６を停止して点火動作を停止し、対流モータ５１も停止して運転を停止し、温度／時間表示部８４にてエラー表示を行う。
【００４２】
比例制御は、室内温度が目標温度＋所定の温度Ｔ１を超えない限り維持され、比例制御中に、室内温度が目標温度＋所定の温度Ｔ１を超えた場合、電磁弁４４を閉にしてガスバーナ４での燃焼を停止し、対流モータ５１を最小回転で駆動すると共に運転ランプ８２を緑色で点灯して、燃焼停止運転を行う。燃焼停止運転は、室内温度が目標温度−所定の温度Ｔ２よりも下がらない限り維持され、室内温度が目標温度−所定の温度Ｔ２よりも下がった場合、上述した点火動作を行う。以降、所定の設定時間が経過するまで上記工程を繰り返すものである。
【００４３】
上述したように、おはようタイマー機能により運転を開始する時には、特に即暖性が要求されないため、ヒータ式の点火器６２で静かに点火することができて、使用者の就寝等の妨げにならない。
【００４４】
なお、本発明はガスファンヒータだけでなく、石油温風式ファンヒータ等の点火器を具備する暖房装置にも適用できることはいうまでもない。
【００４５】
次に、他の実施形態について図７乃至図１０に基づいて説明する。なお、図１乃至図６に示される上記実施形態と同じ部分については説明を省略し、異なる部分について説明する。
【００４６】
本実施形態では、放電式の点火器６１およびヒータ式の点火器６２はそれぞれ、異常を検知する異常検知手段を備えている。異常検知手段は、図８に示すように、放電式の点火器６１への電力供給回路の回路電圧（電力供給回路のいずれかの部位の電圧）を検知する電圧検知手段を備えた検知回路９１と、ヒータ式の点火器６２への電力供給回路の回路電圧（電力供給回路のいずれかの部位の電圧）を検知する電圧検知手段を備えた検知回路９２と、制御装置７がその機能の一部として備える電圧値判定手段７１とからなる。検知回路９１、９２により検知された電圧値は制御装置７に送信され、電圧値判定手段７１が前記送信された電圧値を予め記憶されている判定用電圧値と比較して、放電式の点火器６１、ヒータ式の点火器６２が正常か異常かを判定する。そして、一方の点火器６１、６２のみで異常が検知された場合、該異常が検知された点火器６１、６２を作動させず異常が検知されていない他方の点火器６２、６１を作動させて運転するように制御するもので、図９および図１０のフロー図に基づいて説明する。
【００４７】
図９は全体のフロー図であり、上記実施形態の図５のフロー図において初点火か否かを判定するステップおよびその直後のいずれかの点火器６１、６２で点火するステップを、異常検知ルーチンに置換したものである。異常検知ルーチン以外の部分は上記実施形態と同様であるため説明を省略し、以下に異常検知ルーチンについて説明する。
【００４８】
異常検知ルーチンは、図９のフロー図に示すように点火動作で対流モータ５１を強回転させるステップの後で開始されるもので、図１０に示すように、（Ｓ１）にて運転スイッチ８１を押してから初めての点火か否かを判定し、初めての点火である場合には、（Ｓ２）に移行して放電式の点火器６１を作動をさせる。初めての点火でない場合には、（Ｓ３）に移行してヒータ式の点火器６２が正常か否かを判定し、正常である場合には（Ｓ９）に移行してヒータ式の点火器６２を作動をさせ、（Ｓ３）で正常でない場合（すなわち異常な場合）には、（Ｓ２）に移行して放電式の点火器６１を作動をさせる。
【００４９】
（Ｓ２）で放電式の点火器６１を作動をさせた後、（Ｓ４）に移行して放電式の点火器６１が正常か否かを判定し、正常である場合には（Ｓ５）に移行して運転スイッチ８１を押してから初めての点火か否かを判定し、（Ｓ４）で正常でない場合には（Ｓ６）に移行してヒータ式の点火器６２が正常か否かを判定する。（Ｓ６）でヒータ式の点火器６２が正常である場合には、（Ｓ７）に移行して点火器故障ランプ８９（図７参照）を点灯させた後、（Ｓ５）に移行して運転スイッチ８１を押してから初めての点火か否かを判定し、（Ｓ６）でヒータ式の点火器６２が正常でない場合には、（Ｓ８）に移行して、電磁弁４４を閉にすると共に点火動作を停止し、対流モータ５１も停止して運転を停止し、温度／時間表示部８４にてエラー表示を行う。
【００５０】
（Ｓ５）で運転スイッチ８１を押してから初めての点火か否かを判定し、初点火である場合には（Ｓ９）に移行してヒータ式の点火器６２を作動をさせ、（Ｓ５）で初点火でない場合には異常検知ルーチンを抜けて、図９のフロー図に示すように電磁弁４４を開とし且つ比例弁４５を全開としてガスバーナ４の点火が試みられる。
【００５１】
（Ｓ９）でヒータ式の点火器６２を作動をさせた後、（Ｓ１０）に移行してヒータ式の点火器６２が正常か否かを判定し、正常である場合には異常検知ルーチンを抜けて、電磁弁４４を開とし且つ比例弁４５を全開としてガスバーナ４の点火が試みられる。（Ｓ１０）で正常でない場合には（Ｓ１１）に移行して放電式の点火器６１が正常か否かを判定し、正常である場合には（Ｓ１２）に移行して点火器故障ランプ８９を点灯させた後、異常検知ルーチンを抜けて、電磁弁４４を開とし且つ比例弁４５を全開としてガスバーナ４の点火が試みられる。（Ｓ１１）で正常でない場合には、（Ｓ１３）に移行して、電磁弁４４を閉にすると共に点火動作を停止し、対流モータ５１も停止して運転を停止し、温度／時間表示部８４にてエラー表示を行う。
【００５２】
図１０のフロー図から分かるように、異常検知ルーチンでは、初点火の場合には、放電式の点火器６１とヒータ式の点火器６２の両方について正常であるか否かを検知し、一方の点火器（６１又は６２）が異常で他方の点火器（６２又は６１）が正常である場合には、点火器故障ランプ８９を点灯させて正常である他方の点火器（６２又は６１）を作動させ、両方の点火器６１、６２が異常である場合にはエラー表示を行なって運転は行わない。
【００５３】
第１の具体例として、放電式の点火器６１が故障して異常であってヒータ式の点火器６２が正常である場合について説明すると、初点火である場合、（Ｓ２）で放電式の点火器６１を作動させて（Ｓ４）で放電式の点火器６１が正常でないと判定して（Ｓ６）でヒータ式の点火器６２が正常であると判定し、（Ｓ７）で点火器故障ランプ８９を点灯させ、（Ｓ９）でヒータ式の点火器６２を作動させて異常検知ルーチンを抜ける。この場合、本来は即暖性が要求されるため放電式の点火器６１で点火するところ、故障している放電式の点火器６１に代わって正常なヒータ式の点火器６２で点火することとなり、即暖性は満たされないものの、運転は開始される。
【００５４】
また、初点火でない場合、（Ｓ１）から（Ｓ３）に移行してヒータ式の点火器６２が正常であると判定されて（Ｓ９）へ移行してヒータ式の点火器６２を作動させて異常検知ルーチンを抜ける。この場合はもともとヒータ式の点火器６２を作動させるため、通常通りの点火動作となる。
【００５５】
第２の具体例として、ヒータ式の点火器６２が故障して異常であって放電式の点火器６１が正常である場合について説明すると、初点火である場合、（Ｓ２）で放電式の点火器６１を作動させて（Ｓ４）で放電式の点火器６１が正常であると判定するとともに、（Ｓ９）でヒータ式の点火器６２を作動させて（Ｓ１０）でヒータ式の点火器６２が異常であると判定して、異常検知ルーチンを抜ける。この場合、放電式の点火器６１が作動するため、着火スピードが速く即暖性が満たされる。
【００５６】
また、初点火でない場合、（Ｓ１）から（Ｓ３）に移行してヒータ式の点火器６２が異常であると判定されて（Ｓ２）へ移行して放電式の点火器６１を作動させ、（Ｓ４）で放電式の点火器６１が正常であると判定し、再度（Ｓ１０）でヒータ式の点火器６２が異常であると判定して（Ｓ１２）で点火器故障ランプ８９を点灯させ、異常検知ルーチンを抜ける。この場合、本来は点火時の静かさや放射ノイズの無いことが要求されるためヒータ式の点火器６２で点火するところ、故障しているヒータ式の点火器６２に代わって正常な放電式の点火器６１で点火することとなり、点火時の静かさや放射ノイズの無いことは満たされないものの、運転は開始される。
【００５７】
このように、第１の具体例の場合には、初点火である場合に本来作動すべき放電式の点火器６１を作動できないため即暖性が満たされず、また第２の具体例の場合には、初点火でない場合に本来作動すべきヒータ式の点火器６２を作動できないため点火時の静かさや放射ノイズの無いことが満たされないものの、二つの点火器６１、６２を備えたメリットとして故障していない正常な点火器をバックアップとして使用することができ、暖房運転を行うことが可能となる。
【００５８】
次に、更に他の実施形態について図１１、図１２に基づいて説明する。なお、図７乃至図１０に示される上記実施形態と同じ部分については説明を省略し、異なる部分について説明する。
【００５９】
本実施形態では、異常が検知された点火器がヒータ式の点火器６２である場合、入りタイマー機能（すなわちおはようタイマー機能）又は切りタイマー機能（すなわちおやすみタイマー機能）の作動中にＯＮ−ＯＦＦ制御を行わずに運転することを特徴とする。
【００６０】
まず、おはようタイマー機能を作動させる場合について図１１に基づいて説明する。（Ｓ２１）でおはようタイマースイッチ８５を押しておはようタイマーを入にすると、（Ｓ２２）で操作パネル８の基板が制御装置７へおはようタイマー運転開始の信号を送り、おはようタイマーランプ８６を点灯させる。
【００６１】
おはようタイマーの設定時間が経過すると、（Ｓ２３）でヒータ式の点火器６２が正常か否かを判定し、ヒータ式の点火器６２が正常である場合には、（Ｓ２４）に移行してヒータ式の点火器６２を作動させ、（Ｓ２５）に移行して電磁弁４４を開とし且つ比例弁４５を全開として、ガスバーナ４の点火を試みる。
【００６２】
そして（Ｓ２６）に移行して燃焼検知センサ４７により着火が検知されたか否かが判定され、着火が検知された場合には、（Ｓ２７）に移行して点火動作を終了して、運転ランプ８２を赤色で点灯させて（Ｓ２８）の運転制御に移行し、（Ｓ２６）で着火が検知されない場合には、（Ｓ２９）に移行して、電磁弁４４を閉にすると共に点火器６を停止して点火動作を停止し、対流モータ５１も停止して運転を停止し、温度／時間表示部８４にてエラー表示を行う。
【００６３】
（Ｓ２８）の運転制御では、まず、比例弁４５の開度及び対流モータ５１の回転速度を目標温度と室内の温度との差に比例するように制御する比例制御を行い、室内温度が目標温度＋所定の温度Ｔ１を超えた場合に比例制御を停止してＯＮ−ＯＦＦ制御に移行する。なお、比例制御中に室内温度が目標温度＋所定の温度Ｔ１を超えない限り、比例制御が維持されてＯＮ−ＯＦＦ制御には移行しない。
【００６４】
ＯＮ−ＯＦＦ制御では、室内温度が目標温度−所定の温度Ｔ２よりも下がった時に点火動作を行い、室内温度が目標温度＋所定の温度Ｔ１を超えた時に運転を停止する。ＯＮ−ＯＦＦ制御において停止時間の比率を高めることで、単位時間当たりの加熱量を、比例制御において比例弁４５の開度を最小に絞った時の単位時間当たりの加熱量よりも小さくすることができる。
【００６５】
（Ｓ３０）で所定時間（フロー図では１時間）が経過したか否かが判定され、所定時間経過した場合には、（Ｓ３１）に移行して電磁弁４４を閉にすると共に点火器６を停止して点火動作を停止し、対流モータ５１も停止して運転を停止し、運転ランプ８２及びおはようタイマーランプ８６を消灯する。（Ｓ３０）で所定時間が経過していない場合には、（Ｓ２８）に戻って運転制御が継続される。
【００６６】
（Ｓ２３）でヒータ式の点火器６２が正常でない場合には、（Ｓ３２）に移行して放電式の点火器６１を作動させるとともにＯＮ−ＯＦＦ制御を行う機能を切にし、（Ｓ３３）に移行して電磁弁４４を開とし且つ比例弁４５を全開として、ガスバーナ４の点火を試みる。
【００６７】
そして（Ｓ３４）に移行して燃焼検知センサ４７により着火が検知されたか否かが判定され、着火が検知された場合には、（Ｓ３５）に移行して点火動作を終了して、運転ランプ８２を赤色で点灯させて（Ｓ３６）の運転制御に移行し、（Ｓ３４）で着火が検知されない場合には、（Ｓ３７）に移行して、電磁弁４４を閉にすると共に点火器６を停止して点火動作を停止し、対流モータ５１も停止して運転を停止し、温度／時間表示部８４にてエラー表示を行う。
【００６８】
（Ｓ３６）の運転制御では、（Ｓ３２）でＯＮ−ＯＦＦ制御を行う機能を切にしているため、比例制御のみが行われ、室内温度が目標温度＋所定の温度Ｔ１を超えてもＯＮ−ＯＦＦ制御に移行することはない。
【００６９】
これにより、ＯＮ−ＯＦＦ制御時に頻繁に放電式の点火器６１が点火動作を行うことで、パチパチという放電音や放射ノイズによりテレビの画像の乱れやラジオの音声に雑音が入ってしまう、ということを防止することができる。
【００７０】
（Ｓ３８）で所定時間（フロー図では１時間）が経過したか否かが判定され、所定時間経過した場合には、（Ｓ３９）に移行して電磁弁４４を閉にすると共に点火器６を停止して点火動作を停止し、対流モータ５１も停止して運転を停止し、運転ランプ８２及びおはようタイマーランプ８６を消灯する。（Ｓ３８）で所定時間が経過していない場合には、（Ｓ３６）に戻って運転制御が継続される。
【００７１】
次に、おやすみタイマー機能を作動させる場合について図１２に基づいて説明する。（Ｓ４１）でおやすみタイマースイッチ８７を押しておやすみタイマーを入にすると、（Ｓ４２）で操作パネル８の基板が制御装置７へおやすみタイマー運転開始の信号を送り、おやすみタイマーランプ８８を点灯させ、（Ｓ４３）に移行する。
【００７２】
（Ｓ４３）以降のステップは、図１１に示すおはようタイマー機能の場合の（Ｓ２３）以降のステップと基本的に同じで、（Ｓ２３）が（Ｓ４３）に、（Ｓ２４）が（Ｓ４４）に、・・・（Ｓ３９）が（Ｓ５９）にそれぞれ対応し、異なる点は、おはようタイマー機能の（Ｓ３０）における所定時間が、おやすみタイマー機能では（Ｓ５０）におけるおやすみタイマー機能の所定時間となる点と、おはようタイマー機能の（Ｓ３１）及び（Ｓ３９）におけるおはようタイマーランプ８６の消灯が、おやすみタイマー機能では（Ｓ５１）及び（Ｓ５９）におけるおはようタイマーランプ８６の消灯となる点である。
【００７３】
本実施形態ではヒータ式の点火器６２が異常である場合、就寝中によく利用されるおはようタイマー機能又はおやすみタイマー機能の作動中に、頻繁に点火動作が行われかねないＯＮ−ＯＦＦ制御を行わずに運転するため、放電式の点火器６１の点火時の放電音が発生せず静かさを保つことができ、就寝の妨げにならないものである。
【符号の説明】
【００７４】
１    ガスファンヒータ
２    本体ケーシング
２０  空気流路
２１  吸い込み口
２３  フィルタ
２２  吹き出し口
３    燃焼室
３０  燃焼空気流路
３１  入口
３２  出口
４    ガスバーナ
４０  燃料ガス流路
４１  ガス管
４２  ガス取込口
４３  ガスフィルタ
４４  電磁弁
４５  比例弁
４６  ノズル
４７  燃焼検知センサ
５    対流ファン
５１  対流モータ
６    点火器
６１  放電式の点火器
６２  ヒータ式の点火器
７    制御装置
８    操作パネル
８１  運転スイッチ
８２  運転ランプ
８３  温度／時間設定スイッチ
８３ａ  アップスイッチ
８３ｂ  ダウンスイッチ
８４  温度／時間表示部
８５  おはようタイマースイッチ
８６  おはようタイマーランプ
８７  おやすみタイマースイッチ
８８  おやすみタイマーランプ
【図１】
2010121924.tif 000003
【図２】
2010121924.tif 000004
【図３】
2010121924.tif 000005
【図４】
2010121924.tif 000006
【図５】
2010121924.tif 000007
【図６】
2010121924.tif 000008
【図７】
2010121924.tif 000009
【図８】
2010121924.tif 000010
【図９】
2010121924.tif 000011
【図１０】
2010121924.tif 000012
【図１１】
2010121924.tif 000013
【図１２】
2010121924.tif 000014